(57)【要約】【課題】可視光通信動作のタイミングのずれを抑制することができる光源駆動装置を提供する。【解決手段】光源駆動装置３０は、光源２０の発光制御を行う発光制御部３２と、可視光通信用の第一発光制御を指示する第一指示信号を受信する通信部３１と、第一指示信号が受信されたことをトリガとして、第一発光制御を実行するまでの待機時間の計測を開始する計測部３４とを備える。発光制御部３２は、計測される待機時間の終了タイミングに、光源２０の第一発光制御を開始する。【選択図】図２
2019003768.tif 000002
【特許請求の範囲】
【請求項１】
光源の発光制御を行う発光制御部と、
可視光通信用の第一発光制御を指示する第一指示信号を受信する通信部と、
前記第一指示信号が受信されたことをトリガとして、前記第一発光制御を実行するまでの待機時間の計測を開始する計測部とを備え、
前記発光制御部は、計測される前記待機時間の終了タイミングに、前記光源の前記第一発光制御を開始する
光源駆動装置。
【請求項２】
前記待機時間は、前記第一指示信号の信号長よりも長い
請求項１に記載の光源駆動装置。
【請求項３】
前記計測部は、前記待機時間を設定するための時間設定部を有する
請求項１または２に記載の光源駆動装置。
【請求項４】
前記通信部は、可視光通信以外の第二発光制御を指示する第二指示信号を受信し、
前記第二指示信号が受信された場合、前記発光制御部は、前記待機時間の経過前に、前記光源の前記第二発光制御を開始する
請求項１〜３のいずれか１項に記載の光源駆動装置。
【請求項５】
請求項１〜４のいずれか１項に記載の光源駆動装置と、
前記光源とを備える
照明装置。
【請求項６】
請求項５に記載の照明装置を複数備える照明制御システム。
【請求項７】
さらに、複数の前記照明装置のそれぞれに通信線を介して前記第一指示信号を送信する照明制御装置を備え、
複数の前記照明装置に含まれる第一照明装置であって前記照明制御装置までの前記通信線の長さが第一の長さである第一照明装置の前記待機時間は、複数の前記照明装置に含まれる第二照明装置であって前記照明制御装置までの前記通信線の長さが前記第一の長さよりも長い第二の長さである第二照明装置の前記待機時間よりも長い
請求項６に記載の照明制御システム。
【発明の詳細な説明】
【技術分野】
【０００１】
本発明は、可視光通信用の発光制御が可能な光源駆動装置、照明装置、及び、照明制御システムに関する。
【背景技術】
【０００２】
従来、照明光の光強度を変調することによりデータ信号を出力する可視光通信用照明器具が知られている。特許文献１には、変調信号の伝送箇所における絶縁性の確保が容易な可視光通信用照明器具が開示されている。
【先行技術文献】
【特許文献】
【０００３】
【特許文献１】特開２０１３−１１０５９９号公報
【発明の概要】
【発明が解決しようとする課題】
【０００４】
複数の照明装置が同時に可視光通信動作を行う場合が考えられる。例えば、１つの空間に複数の照明装置が配置され、複数の照明装置のそれぞれが同一のデータ信号を出力するために高速で明滅する場合が考えられる。このような場合、複数の照明装置の明滅のタイミングがずれると、複数の照明装置が発する光が重なる領域においてデータ信号を取得することができない可能性がある。
【０００５】
本発明は、可視光通信動作のタイミングのずれを抑制することができる光源駆動装置、照明装置、及び、照明制御システムを提供する。
【課題を解決するための手段】
【０００６】
本発明の一態様に係る光源駆動装置は、光源の発光制御を行う発光制御部と、可視光通信用の第一発光制御を指示する第一指示信号を受信する通信部と、前記第一指示信号が受信されたことをトリガとして、前記第一発光制御を実行するまでの待機時間の計測を開始する計測部とを備え、前記発光制御部は、計測される前記待機時間の終了タイミングに、前記光源の前記第一発光制御を開始する。
【０００７】
本発明の一態様に係る照明装置は、前記光源駆動装置と、前記光源とを備える。
【０００８】
本発明の一態様に係る照明制御システムは、前記照明装置を複数備える。
【発明の効果】
【０００９】
本発明によれば、可視光通信動作のタイミングのずれを抑制することができる光源駆動装置、照明装置、及び、照明制御システムが実現される。
【図面の簡単な説明】
【００１０】
【図１】図１は、実施の形態１に係る照明制御システムの構成を示す図である。
【図２】図２は、実施の形態１に係る照明装置の機能構成を示すブロック図である。
【図３】図３は、実施の形態１に係る照明装置の動作のフローチャートである。
【図４】図４は、可視光通信用の発光制御のタイミングチャートである。
【図５】図５は、指示信号の信号フォーマットの一例を示す図である。
【図６】図６は、可視光通信以外の発光制御のタイミングチャートである。
【図７】図７は、待機時間を変更するための構成の一例を示す図である。
【図８】図８は、待機時間を変更するための構成の別の例を示す図である。
【発明を実施するための形態】
【００１１】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付し、重複する説明は省略または簡略化される場合がある。
【００１３】
（実施の形態１）
［照明制御システム及び照明装置の構成］
以下、実施の形態１に係る照明制御システム及び照明装置の構成について、図面を参照しながら説明する。まず、実施の形態１に係る照明制御システムについて説明する。図１は、実施の形態１に係る照明制御システムの構成を示す図である。
【００１４】
図１に示されるように、実施の形態１に係る照明制御システム１００は、複数の照明装置１０と、照明制御装置４０とを備える。図１では、複数の照明装置１０の総数は４つであるが、複数の照明装置１０の総数は特に限定されない。複数の照明装置１０は、照明装置ａ、照明装置ｂ、照明装置ｃ、及び、照明装置ｄのように区別して記載される場合がある。
【００１５】
照明制御装置４０は、複数の照明装置１０のコントローラであり、照明装置１０の外部に配置されている。照明制御装置４０は、複数の照明装置１０と１つの信号線で電気的に接続されている。照明制御装置４０は、ユーザインターフェースを介してユーザの操作を受け付け、受け付けたユーザの操作に基づいて、複数の照明装置１０のそれぞれに信号線を介して指示信号を送信する。つまり、複数の照明装置１０の発光制御は、照明制御装置４０から送信される指示信号に基づいて行われる。
【００１６】
次に、照明装置１０の構成について説明する。図２は、照明装置１０の機能構成を示すブロック図である。図２では、照明装置１０以外に、照明制御装置４０及び電力系統５０も図示されている。
【００１７】
図２に示されるように、照明装置１０は、光源２０と、光源駆動装置３０とを備える。照明装置１０は、例えば、室内照明用の照明装置であり、白色光を発する。照明装置１０は、例えば、シーリングライトであるが、スポットライトまたはダウンライトなどであってもよい。後述のように、複数の照明装置１０のそれぞれは、可視光通信動作に対応している。可視光通信動作中の照明装置１０は、人間の目で認識できない速さで明滅する。撮像装置を備えるスマートフォン等の情報端末は、照明装置１０の明滅をデータ信号として使用することができる。このように、照明装置１０は、空間を照明する機能とデータ信号を出力する機能とを有する。なお、照明装置が明滅するとは、照明装置１０（光源２０）が明るく発光する状態と、暗く発光する状態または消灯する状態とを繰り返すことを意味する。明滅には点滅が含まれる。
【００１８】
光源２０は、ＬＥＤチップまたはＬＥＤ素子が発光素子として用いられた光源である。光源２０は、例えば、白色光を発する。光源２０は、例えば、基板上にＬＥＤチップが直接配置されたＣＯＢ（Ｃｈｉｐ  Ｏｎ  Ｂｏａｒｄ）型の発光モジュールであるが、基板上にＳＭＤ（Ｓｕｒｆａｃｅ  Ｍｏｕｎｔ  Ｄｅｖｉｃｅ）型のＬＥＤ素子が配置されたＳＭＤ型の発光モジュールであってもよい。
【００１９】
光源駆動装置３０は、光源２０を駆動する装置である。光源駆動装置３０は、具体的には、通信部３１と、発光制御部３２と、記憶部３３と、計測部３４とを備える。
【００２０】
通信部３１は、通信線によって照明装置１０の外部に配置された照明制御装置４０に接続され、照明制御装置４０から指示信号を受信する。通信部３１は、具体的には、シフトレジスタなどを含む通信モジュール（通信回路）である。なお、通信部３１は、無線通信によって照明制御装置から指示信号を受信してもよい。
【００２１】
発光制御部３２は、光源２０の発光制御を行う。発光制御部３２は、具体的には、電源部３２ａ及び制御部３２ｂを有する。
【００２２】
電源部３２ａは、電力系統５０から交流電力が供給される電源線に接続され、当該交流電力を光源２０の発光に適した直流電力に変換して出力する回路である。電源部３２ａは、光源２０に一定の電流を供給するための定電流回路、及び、定電流回路から供給される電流を変調する変調回路等を含む。定電流回路には、フィルタ回路、整流回路、平滑コンデンサ、昇圧コンバータ回路、及び、フライバックコンバータ回路等が含まれる。変調回路には、光源２０に供給される電流を変調するためのスイッチング素子が含まれる。
【００２３】
制御部３２ｂは、電源部３２ａから光源２０に供給される電力を制御することにより、光源２０の発光制御を行う。制御部３２ｂは、具体的には、変調回路に含まれるスイッチング素子を制御するマイクロコンピュータなどである。制御部３２ｂの具体的な態様は、特に限定されない。
【００２４】
発光制御部３２（制御部３２ｂ）によって行われる光源２０の発光制御には、点灯制御、消灯制御、調光制御、及び、可視光通信用の発光制御などが含まれる。可視光通信用の発光制御において、発光制御部３２は、光源２０を人間の目で認識できない速さ（例えば、数ｋＨｚ〜数ＭＨｚ）で明滅させる。撮像素子を備えるスマートフォンなどの情報端末は、撮像素子を用いることによって光源２０の明滅をデータ信号として認識することができる。
【００２５】
記憶部３３は、制御部３２ｂによって実行される制御プログラム等が記憶される記憶装置である。記憶部３３には、可視光通信用の発光制御において使用される可視光通信用の変調信号も記憶される。記憶部３３は、具体的には、半導体メモリなどによって実現される。
【００２６】
計測部３４は、通信部３１によって可視光通信用の発光制御を指示する指示信号が受信された場合に、受信された指示信号をトリガとして待機時間の計測を開始する。計測部３４は、具体的には、単安定マルチバイブレータ回路などによって構成されるが、その他のタイマ回路であってもよい。
【００２７】
［照明装置の動作］
照明制御システム１００において、複数の照明装置１０のそれぞれが同一の可視光通信用のデータ信号を出力するために明滅する場合がある。このような場合、複数の照明装置１０の明滅のタイミングがずれると、情報端末等は、データ信号を認識できない場合がある。
【００２８】
ここで、明滅のタイミングがずれる原因の１つは、複数の照明装置１０のそれぞれが、発光制御を指示する指示信号を受信してから明滅を開始するまでの時間にばらつきがあることである。例えば、発光制御を指示する指示信号を受信してから明滅を開始するまでの時間には、受信処理などの信号処理にかかる時間が含まれ、このような信号処理にかかる時間が照明装置１０ごとにばらつく場合がある。
【００２９】
これに対し、照明制御システム１００においては、複数の照明装置１０が計測部３４によって計測される待機時間の終了タイミングに可視光通信のための明滅を一斉に開始する。このため、一の照明装置１０の明滅の開始タイミングと、他の照明装置１０の明滅の開始タイミングとのずれを抑制することができる。
【００３０】
以下、このような照明装置１０の動作について主として図３及び図４を参照しながら説明する。図３は、照明装置１０の動作のフローチャートである。図４は、可視光通信用の発光制御のタイミングチャートである。
【００３１】
まず、通信部３１は、発光制御を指示する指示信号を照明制御装置４０から通信線を介して受信する（Ｓ１１）。上述のように、通信部３１はシフトレジスタを含み、通信線から伝送されてきた信号を図５に示される信号フォーマットにしたがってレジスタに格納する。図５は、指示信号の信号フォーマットの一例を示す図である。
【００３２】
図５に示されるように、指示信号は、プリアンブル領域、アドレス領域、及び、データ領域によって構成されている。データ領域には、当該指示信号がどのような発光制御を指示するものであるかが示されている。
【００３３】
なお、以下では、可視光通信用の発光制御は、第一発光制御と記載され、第一発光制御を指示する指示信号は、第一指示信号と記載される。点灯制御、消灯制御、及び、調光制御などの可視光通信以外の発光制御は、第二発光制御と記載され、第二発光制御を指示する指示信号は、第二指示信号と記載される。
【００３４】
次に、計測部３４は、通信部３１によって指示信号が受信されたことをトリガとして、待機時間Ｔｗの計測を開始する（Ｓ１２）。図４に示されるように、信号線に信号が入力されていないアイドル状態において当該信号線がハイレベルになるとすると、計測部３４に含まれる単安定マルチバイブレータ回路は、信号線に指示信号が入力されることにより生じる立ち下がりエッジをトリガとして、待機時間Ｔｗが終了するまでの間、制御部３２ｂにハイレベルの通知信号を出力する。待機時間の終了後、通知信号はローレベルとなる。
【００３５】
待機時間Ｔｗは、全ての照明装置１０が第一発光制御の開始が可能なスタンバイ状態になるまでの時間以上の長さの時間に設定される。待機時間Ｔｗは、例えば、指示信号の信号長Ｔｓよりも長い。また、待機時間Ｔｗは、通信部３１によって行われる指示信号の受信処理にかかる時間Ｔｒよりも長い。なお、時間Ｔｒは、信号長Ｔｓよりも長い。
【００３６】
通信部３１は、指示信号の受信が完了すると、受信した指示信号を制御部３２ｂに伝送する。制御部３２ｂは、伝送された指示信号のデータ領域を参照し、通信部３１によって受信された指示信号が可視光通信用の第一発光制御を指示する第一指示信号であるか否かを判定する（Ｓ１３）。
【００３７】
受信された指示信号が可視光通信用の第一発光制御を指示する第一指示信号であると判定される場合（Ｓ１３でＹｅｓ）、制御部３２ｂ（発光制御部３２）は、計測部３４によって計測される待機時間Ｔｗの終了タイミングに、光源２０を対象とした第一発光制御を開始する（Ｓ１４）制御部３２ｂは、具体的には、通知信号の立ち下がりエッジを検出すると、記憶部３３から読み出した可視光通信用の変調信号の出力を開始することにより、電源部３２ａの変調回路に含まれるスイッチング素子を制御する。この結果、待機時間Ｔｗの終了タイミングを始点として、可視光通信のための光源２０の明滅が開始される。なお、制御部３２ｂが他の信号処理を行っている場合、第一発光制御に関する信号処理は、割り込み処理として取り扱われ、優先的に行われてもよい。
【００３８】
一方、受信された指示信号が、可視光通信以外の第二発光制御を指示する第二指示信号であると判定される場合（Ｓ１３でＮｏ）、一の照明装置１０の第二発光制御の開始タイミングと、他の照明装置１０の第二発光制御の開始タイミングとを合わせる必要はない。そこで、制御部３２ｂは、計測部３４によって計測される待機時間Ｔｗの経過を待たずに即座に第二発光制御を開始する（Ｓ１５）。つまり、制御部３２ｂは、通知信号の論理を無視して、当該論理に無関係に第二発光制御を開始する。図６は、このような第二発光制御（可視光通信以外の発光制御）のタイミングチャートである。
【００３９】
以上説明したように、照明制御システム１００は、可視光通信用の発光制御の開始タイミングのずれを抑制することができる。言い換えれば、照明制御システム１００は、複数の照明装置１０のそれぞれが出力する可視光通信用のデータ信号を同期させることができる。
【００４０】
また、照明システム１００においては、可視光通信動作用の専用制御線が必要ない。照明システム１００においては、可視光通信用の第一発光制御、及び、調光制御等の第二発光制御の両方が通信線のみで実現される。
【００４１】
［変形例］
上記実施の形態１で説明された計測部３４による待機時間の計測方法は一例である。例えば、計測部３４は、指示信号の立ち下がりエッジを検出するごとに、待機時間Ｔｗ（指示信号がハイレベルになる期間）の長さを所定時間延長してもよい。この場合、待機時間Ｔｗは、固定長ではなく、信号長Ｔｓに応じた長さ時間となるため、信号長Ｔｓが固定長ではなく可変長である場合に有用である。
【００４２】
また、上記実施の形態１では、可視光通信用の変調信号があらかじめ記憶部３３に記憶されていたが、可視光通信用の変調信号は、照明制御装置４０によって送信されてもよい。例えば、指示信号のデータ領域に可視光通信用の変調信号が含まれてもよい。この場合、照明装置１０は、可視光通信用の変調信号を、通信線を介して受信する。
【００４３】
（実施の形態２）
［指示信号の受信タイミングのずれの抑制］
複数の照明装置１０の可視光通信のための明滅のタイミングがずれるもう一つの原因として、信号線の長さにより、複数の照明装置１０のそれぞれが第一指示信号を受信するタイミングがずれることが考えられる。図１の例では、照明装置ａから照明制御装置４０までの通信線の長さは、照明装置ｄから照明制御装置４０までの通信線の長さよりも短い。そうすると、照明装置ａは、照明装置ｄよりも早いタイミングで第一指示信号を受信する。つまり、照明装置ａが第一指示信号を受信するタイミングと、照明装置ｄが第一指示信号を受信するタイミングとがずれる。このような受信タイミングのずれは、信号線の長さが比較的長い場合に顕著となる。
【００４４】
そこで、例えば、複数の照明装置１０を設置する際に、第一指示信号の受信タイミングのずれを考慮して、待機時間Ｔｗが照明装置１０ごとに変更されるとよい。例えば、図１のように、照明制御装置４０までの信号線の長さが照明装置ａ＜照明装置ｂ＜照明装置ｃ＜照明装置ｄである場合、照明装置ａの待機時間Ｔａ＞照明装置ｂの待機時間Ｔｂ＞照明装置ｃの待機時間Ｔｃ＞照明装置ｄの待機時間Ｔｄとされればよい。複数の照明装置１０に含まれる照明装置ａであって照明制御装置４０までの通信線の長さが第一の長さである照明装置ａの待機時間は、複数の照明装置１０に含まれる照明装置ｄであって照明制御装置４０までの通信線の長さが第一の長さよりも長い第二の長さである照明装置ｄの待機時間よりも長くなる。このように待機時間が個別に設定されれば、第一指示信号の受信タイミングのずれに基づく第一発光制御の開始タイミングのずれが抑制される。
【００４５】
［待機時間を変更するための構成］
ユーザが容易に待機時間Ｔｗを変更できるように、光源駆動装置３０は、待機時間Ｔｗを変更するための構成を備えてもよい。図７は、待機時間Ｔｗを変更するための構成の一例を示す図である。図７では、光源駆動装置３０の制御部３２ｂに対応する制御部３２ｃ、及び、光源駆動装置３０の計測部３４に対応する計測部３４ｃが図示されている。
【００４６】
制御部３２ｃは、マイクロコンピュータ３２ｄ及びトーテムポール回路３２ｅを備える。トーテムポール回路３２ｅは、２つのトランジスタが直列接続された回路である。トーテムポール回路３２ｅは、マイクロコンピュータ３２ｄからの出力信号に応じて、当該トーテムポール回路３２ｅの出力端子にハイレベルまたはローレベルを出力する。
【００４７】
計測部３４ｃは、単安定マルチバイブレータ回路３４ｄ及び時間設定部３４ｅを備える。時間設定部３４ｅは、単安定マルチバイブレータ回路３４ｄの待機時間Ｔｗを設定するための時間設定回路である。
【００４８】
時間設定部３４ｅは、具体的には、直列接続された抵抗Ｒ１、抵抗Ｒ２、及び、コンデンサＣ１と、抵抗Ｒ１に並列接続されたトランジスタＱ１とを有する。時間設定部３４ｅは、待機時間Ｔｗに対応する時定数を定める回路である。トランジスタＱ１のベース端子は、トーテムポール回路３２ｅの出力端子と電気的に接続されている。
【００４９】
マイクロコンピュータ３２ｄの出力信号がハイレベルのときは、時間設定部３４ｅのトランジスタＱ１はオフになる。したがって、直列接続された抵抗Ｒ１及び抵抗Ｒ２を介してコンデンサＣ１の充電が行われる。
【００５０】
信号線を介して指示信号の立ち下がりエッジが単安定マルチバイブレータ回路３４ｄに入力されると、単安定マルチバイブレータ回路３４ｄは、通知信号をハイレベルにすると同時にコンデンサＣ１を一定時間放電する。コンデンサＣ１の放電後、コンデンサＣ１には、抵抗Ｒ１及び抵抗Ｒ２を介してコンデンサＣ１が充電される。充電によりコンデンサＣ１の電圧が所定値に達すると、単安定マルチバイブレータ回路３４ｄは、通知信号をローレベルにする。
【００５１】
一方、マイクロコンピュータ３２ｄの出力信号がローレベルのときは、時間設定部３４ｅのトランジスタＱ１はオンになる。したがって、抵抗Ｒ１及び抵抗Ｒ２のうち抵抗Ｒ２のみを介してコンデンサＣ１の充電が行われる。
【００５２】
信号線を介して指示信号の立ち下がりエッジが単安定マルチバイブレータ回路３４ｄに入力されると、単安定マルチバイブレータ回路３４ｄは、通知信号をハイレベルにすると同時にコンデンサＣ１を一定時間放電する。コンデンサＣ１の放電後、コンデンサＣ１には、抵抗Ｒ２のみを介してコンデンサＣ１が充電され、充電によりコンデンサＣ１の電圧が所定値に達すると、単安定マルチバイブレータ回路３４ｄは、通知信号をローレベルにする。この場合、抵抗Ｒ１及び抵抗Ｒ２を介してコンデンサＣ１が充電される場合よりも、短い時間でコンデンサＣ１が充電される。
【００５３】
したがって、マイクロコンピュータ３２ｄの出力信号がローレベルのときは、マイクロコンピュータ３２ｄの出力信号がハイレベルのときよりも通知信号のハイレベルの期間を短くできる。つまり、マイクロコンピュータ３２ｄの出力信号がローレベルのときは、マイクロコンピュータ３２ｄの出力信号がハイレベルのときよりも待機時間Ｔｗが短くなる。
【００５４】
このように、光源駆動装置３０が図７の構成を備えれば、マイクロコンピュータ３２ｄの出力信号の論理の変更により、待機時間Ｔｗが変更される。つまり、ユーザは、マイクロコンピュータ３２ｄを動作させるためのプログラムの書き換えることで出力信号の論理を切り替えることにより、待機時間Ｔｗを容易に変更することができる。
【００５５】
［待機時間を変更するための別の構成］
なお、光源駆動装置３０は、待機時間Ｔｗを変更するために、図８のような構成を備えてもよい。図８は、待機時間Ｔｗを変更するための構成の別の例を示す図である。図８では、光源駆動装置３０の制御部３２ｂに対応する制御部３２ｆ、及び、光源駆動装置３０の計測部３４に対応する計測部３４ｆが図示されている。
【００５６】
制御部３２ｆは、マイクロコンピュータ３２ｄを備える。計測部３４ｆは、単安定マルチバイブレータ回路３４ｄ及び時間設定部３４ｇを備える。
【００５７】
時間設定部３４ｇは、単安定マルチバイブレータ回路３４ｄの待機時間Ｔｗを設定するための時間設定回路である。時間設定部３４ｇは、具体的には、デジタルポテンショメータ３４ｈ及びコンデンサＣ１を有する。デジタルポテンショメータ３４ｈ及びコンデンサＣ１は、直列接続されている。
【００５８】
時間設定部３４ｇは、待機時間Ｔｗに対応する時定数を定める回路であり、デジタルポテンショメータ３４ｈの抵抗値に応じてコンデンサＣ１の充電にかかる時間が変更される。つまり、デジタルポテンショメータ３４ｈの抵抗値に応じて待機時間Ｔｗが変更される。
【００５９】
デジタルポテンショメータ３４ｈは、マイクロコンピュータ３２ｄから出力されるコマンド信号を取得し、取得されたコマンド信号に応じて抵抗値が変化する。したがって、光源駆動装置３０が図８の構成を備えれば、マイクロコンピュータ３２ｄから出力されるコマンド信号の変更により、待機時間Ｔｗが変更される。つまり、ユーザは、マイクロコンピュータ３２ｄを動作させるためのプログラムの書き換えることでコマンド信号を変更することにより、待機時間Ｔｗを容易に変更することができる。
【００６０】
（まとめ）
以上説明したように、光源駆動装置３０は、光源２０の発光制御を行う発光制御部３２と、可視光通信用の第一発光制御を指示する第一指示信号を受信する通信部３１と、第一指示信号が受信されたことをトリガとして、第一発光制御を実行するまでの待機時間Ｔｗの計測を開始する計測部３４とを備える。発光制御部３２は、計測される待機時間Ｔｗの終了タイミングに、光源２０の第一発光制御を開始する。
【００６１】
これにより、光源駆動装置３０は、同じ第一指示信号を受信して動作する他の同様の構成の光源駆動装置との間で生じる第一発光制御の開始タイミングのずれを抑制することができる。つまり、光源駆動装置３０は、可視光通信動作のタイミングのずれを抑制することができる。
【００６２】
また、例えば、待機時間Ｔｗは、第一指示信号の信号長よりも長い。
【００６３】
これにより、光源駆動装置３０は、同じ第一指示信号を受信して動作する他の同様の構成の光源駆動装置との間で生じる第一発光制御の開始タイミングのずれを抑制することができる。
【００６４】
また、計測部３４ｃ（または計測部３４ｆ）のように、計測部３４は、待機時間Ｔｗを設定するための時間設定部３４ｅ（または計測部３４ｆ）を有していてもよい。
【００６５】
これにより、ユーザは待機時間Ｔｗの長さを変更することができる。例えば、照明制御装置４０からの信号線の長さが長い照明装置ほど、待機時間Ｔｗが短く設定されることにより、第一指示信号の受信タイミングのずれに基づく第一発光制御の開始タイミングのずれが抑制される。
【００６６】
また、通信部３１は、可視光通信以外の第二発光制御を指示する第二指示信号を受信し、第二指示信号が受信された場合、発光制御部３２は、待機時間Ｔｗの経過前に、光源２０の第二発光制御を開始してもよい。
【００６７】
これにより、第二指示信号が受信されてから第二発光制御が開始されるまでのタイムラグの発生を抑制することができる。
【００６８】
照明装置１０は、光源駆動装置３０と、光源２０とを備える。
【００６９】
これにより、照明装置１０は、同じ第一指示信号を受信して動作する他の同様の構成の照明装置１０との間で生じる第一発光制御の開始タイミングのずれを抑制することができる。
【００７０】
照明制御システム１００は、照明装置１０を複数備える。
【００７１】
これにより、照明制御システム１００は、複数の照明装置１０の間で生じる、第一発光制御の開始タイミングのずれを抑制することができる。
【００７２】
また、照明制御システム１００は、さらに、複数の照明装置１０のそれぞれに通信線を介して第一指示信号を送信する照明制御装置４０を備えてもよい。複数の照明装置１０に含まれる照明装置ａであって照明制御装置４０までの通信線の長さが第一の長さである照明装置ａの待機時間Ｔａは、複数の照明装置１０に含まれる照明装置ｄであって照明制御装置４０までの通信線の長さが第一の長さよりも長い第二の長さである照明装置ｄの待機時間Ｔｄよりも長くてもよい。照明装置ａは、第一照明装置の一例であり、照明装置ｄは、第二照明装置の一例である。
【００７３】
このように待機時間が設定されれば、第一指示信号の受信タイミングのずれに基づく第一発光制御の開始タイミングのずれが抑制される。
【００７４】
（その他の実施の形態）
以上、実施の形態について説明したが、本発明は、このような実施の形態に限定されるものではない。
【００７５】
例えば、上記実施の形態で説明された回路構成は一例であり、本発明は上記回路構成に限定されない。上記回路構成と同様に、本発明の特徴的な機能を実現できる回路も本発明に含まれる。例えば、上記回路構成と同様の機能を実現できる範囲で、ある素子に対して、直列又は並列に、スイッチング素子（トランジスタ）、抵抗素子、または容量素子等の素子が接続されたものも本発明に含まれる。
【００７６】
また、上記実施の形態において、ハードウェア（回路）によって実現された計測部などの構成要素が、ソフトウェアの実行によって実現されてもよい。例えば、ハードウェアによって実現された構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００７７】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、本発明の全般的または具体的な態様は、システム、装置、方法、集積回路、コンピュータプログラム及び記録媒体の任意な組み合わせで実現されてもよい。
【００７８】
例えば、本発明は、光源と、光源駆動装置と、光源によって照らされる表示板であって文字及び図形の少なくとも一方を含む表示板とを備える看板として実現されてもよい。また、本発明は、光源の駆動方法として実現されてもよいし、光源の駆動方法をコンピュータに実行させるためのプログラムとして実現されてもよい。また、本発明は、照明制御方法として実現されてもよいし、照明制御方法をコンピュータに実行させるためのプログラムとして実現されてもよい。
【００７９】
また、本発明の趣旨を逸脱しない限り、当業者が思いつく各種変形を本実施の形態に施したもの、及び、異なる実施の形態における構成要素を組み合わせて構築される形態も、一つまたは複数の態様の範囲内に含まれてもよい。
【符号の説明】
【００８０】
１０  照明装置
２０  光源
３０  光源駆動装置
３１  通信部
３２  発光制御部
３４、３４ｃ、３４ｆ  計測部
３４ｅ、３４ｇ  時間設定部
４０  照明制御装置
１００  照明制御システム
【図１】
2019003768.tif 000003
【図２】
2019003768.tif 000004
【図３】
2019003768.tif 000005
【図４】
2019003768.tif 000006
【図５】
2019003768.tif 000007
【図６】
2019003768.tif 000008
【図７】
2019003768.tif 000009
【図８】
2019003768.tif 000010